(57)【要約】【課題】アンテナで強入力信号を受信したときに高周波受信信号を減衰させる機能を備えた無線通信装置を提供する。【解決手段】閾値１と、この閾値１よりも低い閾値２という複数の閾値を用いてＬＮＡ１１１の電源オン／オフ、すなわち高周波受信信号の減衰機能を制御する。受信信号レベルが閾値１を超えるとＬＮＡ１１１の電源をオフにして高周波受信信号減衰動作を開始するとともに、受信信号レベルが閾値２を下回るとＬＮＡ１１１の電源をオンにして高周波受信信号の減衰動作を停止させるが、受信信号レベルが閾値１と閾値２の間となるときにはＬＮＡ１１１の電源状態を保持する。【選択図】  図１
2007325234.tif 000002
【特許請求の範囲】
【請求項１】
無線信号を受信するアンテナと、
前記アンテナの受信信号を受信処理する受信処理部と、
前記アンテナの受信信号レベルを検出する受信信号レベル検出部と、
前記アンテナにおける高周波受信信号を減衰させる信号減衰部と、
該検出された受信信号レベルに応じて前記信号減衰部による高周波受信信号の減衰動作を制御する制御部とを備え、
前記制御部は、受信信号レベルに応じて、前記信号減衰部が動作する状態と、前記信号減衰部が停止する状態と、前記信号減衰部の動作又は動作停止を継続する状態を切り替える、
ことを特徴とする無線通信装置。
【請求項２】
前記制御部は、受信信号レベルが第１の閾値を超えると前記信号減衰部による高周波受信信号減衰動作を開始させ、受信信号レベルが前記第１の閾値よりも低い第２の閾値を下回ると前記信号減衰部による高周波受信信号の減衰動作を停止させ、受信信号レベルが前記第１の閾値と前記第２の閾値の間となるときには前記信号減衰部の動作状態を保持する、
ことを特徴とする請求項１に記載の無線通信装置。
【請求項３】
前記受信信号レベル検出部は、受信フレームのプリアンブル部分をモニタして、ＲＳＳＩ（Ｒｅｃｅｉｖｅｄ  Ｓｉｇｎａｌ  Ｓｔｒｅｎｇｔｈ  Ｉｎｄｉｃａｔｏｉｎ）を出力する、
ことを特徴とする請求項１に記載の無線通信装置。
【請求項４】
前記受信処理部は、前記アンテナで受信された伝搬損により減衰した微弱な信号を適正レベルまで増幅する低雑音増幅回路を備え、
前記信号減衰部は、前記低雑音増幅回路への電源を遮断することで高周波受信信号の減衰動作を行なう、
ことを特徴とする請求項１に記載の無線通信装置。
【請求項５】
送信データを処理して前記アンテナ経由で無線信号として送信する送信処理部と、前記アンテナを前記送信処理部と前記受信処理部のいずれかに接続する送受信切替用スイッチをさらに備え、
前記信号減衰部は、受信動作中に前記アンテナを前記送信処理部に接続することで高周波受信信号の減衰動作を行なう、
ことを特徴とする請求項１に記載の無線通信装置。
【発明の詳細な説明】
【技術分野】
【０００１】
本発明は、携帯電話機のような移動体端末、あるいは無線ＬＡＮ（Ｌｏｃａｌ Ａｒｅａ Ｎｅｔｗｏｒｋ）若しくはＰＡＮ（Ｐｅｒｓｏｎａｌ  Ａｒｅａ  Ｎｅｔｗｏｒｋ）のように無線局間で相互に通信を行なう無線通信装置に係り、特に、幅広い受信信号レンジにおいて良好な受信性能が得られる無線通信装置に関する。
【０００２】
さらに詳しくは、本発明は、アンテナで強入力信号を受信したときに高周波受信信号を減衰させる無線通信装置に係り、特に、強入力信号への切り替わり点の近傍においても受信フレームの損失を発生することなく良好な受信性能を持つ無線通信装置に関する。
【背景技術】
【０００３】
近年、ＡＤＳＬ（Ａｓｙｍｍｅｔｒｉｃ  Ｄｉｇｉｔａｌ  Ｓｕｂｓｃｒｉｖｂｅｒ  Ｌｉｎｅ：非対称デジタル加入者回線）やＦＴＴＨ（Ｆｉｂｅｒ  Ｔｏ  Ｔｈｅ  Ｈｏｍｅ）などのブロードバンド通信が普及したことにより、固定電話のＩＰ（Ｉｎｔｅｒｎｅｔ  Ｐｒｏｔｏｃｏｌ）化が進んでいる。
【０００４】
この流れは携帯電話にも波及すると予想されており、その１つとして、携帯電話へ無線ＬＡＮ（Ｌｏｃａｌ  Ａｒｅａ  Ｎｅｔｗｏｒｋ）モジュールを搭載し、ＩＰ（Ｉｎｔｅｒｎｅｔ  Ｐｒｏｔｏｃｏｌ）電話の無線化を行なう動きがある。この無線ＩＰ電話は、リアルタイムに通信を行なうことから、アンテナで受信された入力信号に対する変調精度やパケット誤り率（Ｐａｃｋｅｔ  Ｅｒｒｏｒ  Ｒａｔｅ：ＰＥＲ）が常に良好であることが望まれている。
【０００５】
ところで、無線ＬＡＮモジュールを始めとする無線通信機においては、変復調回路への入力レベルを一定にするために、自動利得制御（Ａｕｔｏ  Ｇａｉｎ  Ｃｏｎｔｒｏｌ：ＡＧＣ）を行なうのが一般的である。また、アンテナで強入力信号を受信したときには、ＡＧＣでは変復調部への入力レベルを一定に保つことができないと、低雑音増幅回路（Ｌｏｗ  Ｎｏｉｓｅ  Ａｍｐｌｉｆｉｅｒ：ＬＮＡ）や周波数変換器などの受信回路部分を通過する際に受信信号の波形が歪むために誤り率が劣化するという問題がある。例えば、移動端末を基地局の近傍で利用する際に、アンテナへの入力が過大になり、受信回路の処理毎に受信信号が歪む。このため、入力レベルが所定の閾値を超えると、受信時であるにも拘らずアンテナを送信系統に接続する（但し、送受信系統でアンテナを共用する場合）（例えば、特許文献１を参照のこと）、ＬＮＡをオフにする、あるいはＬＮＡにバイパス経路を設けたり、アンテナとＬＮＡの間に可変減衰器を挿入したりすることによって（例えば、特許文献２を参照のこと）、高周波受信信号を減衰させ、周波数変換によりダウンコンバートする際に受信信号が歪まないようにして、良好な受信性能を得るようにしている。
【０００６】
しかしながら、このような高周波受信信号の減衰機能を用いた場合、入力信号レベルが強入力へ切り替わる閾値の近傍では、アンテナ・スイッチの切り換えやＬＮＡのオン／オフ制御が頻繁に行なわれることから、ＲＦ（Ｒａｄｉｏ  Ｆｒｅｑｕｅｎｃｙ）回路のインピーダンスが不安定となって受信回路に悪影響を及ぼしてしまい、受信フレームに損失が発生し、これによってＰＥＲが劣化してしまうおそれがある。例えば、無線ＩＰ電話においては、ＰＥＲの劣化は音切れが発生する原因となる。
【０００７】
【特許文献１】特許第３１９８８９４号公報、段落００１１〜００１２
【特許文献２】特開２００２−３３５１８７号公報、段落０００４〜００１０
【発明の開示】
【発明が解決しようとする課題】
【０００８】
本発明の目的は、幅広い受信信号レンジにおいて良好な受信性能を得ることができる、優れた無線通信装置を提供することにある。
【０００９】
本発明のさらなる目的は、アンテナで強入力信号を受信したときに高周波受信信号を減衰させる機能を備えた、優れた無線通信装置を提供することにある。
【００１０】
本発明のさらなる目的は、強入力信号への切り替わり点の近傍においても受信フレームの損失を発生することなく良好な受信性能を持つ、優れた無線通信装置を提供することにある。
【課題を解決するための手段】
【００１１】
本発明は、上記課題を参酌してなされたものであり、無線信号を受信するアンテナと、前記アンテナの受信信号を受信処理する受信処理部と、前記アンテナの受信信号レベルを検出する受信信号レベル検出部と、前記アンテナにおける高周波受信信号を減衰させる信号減衰部と、該検出された受信信号レベルに応じて前記信号減衰部による高周波受信信号の減衰動作を制御する制御部を備え、前記制御部は、受信信号レベルに応じて、前記信号減衰部が動作する状態と、前記信号減衰部が停止する状態と、前記信号減衰部の動作又は動作停止を継続する状態を切り替えることを特徴とする無線通信装置である。
【００１２】
無線ＬＡＮモジュールを始めとする無線通信機においては、変復調回路への入力レベルを一定にするために自動利得制御を行なうのが一般的であるが、アンテナで強入力信号を受信したときには、ＡＧＣでは変復調部への入力レベルを一定に保つことができない。この対策として、入力レベルが所定の閾値を超えたときには、受信時であるにも拘らずアンテナを送信系統に接続する、ＬＮＡをオフにする、といった方法が採られ、高周波受信信号を減衰させ、周波数変換によりダウンコンバートする際に受信信号が歪まないようにして、良好な受信性能を得るようにしている。
【００１３】
しかしながら、このような高周波受信信号の減衰機能を用いた場合、入力信号レベルが強入力へ切り替わる閾値の近傍では、アンテナ・スイッチの切り換えやＬＮＡのオン／オフ制御が頻繁に行なわれることから、ＲＦ回路のインピーダンスが不安定となって受信回路に悪影響を及ぼしてしまい、受信フレームに損失が発生し、これによってＰＥＲが劣化してしまうおそれがある。
【００１４】
そこで、本発明に係る無線通信装置では、前記信号減衰部が動作する状態と、前記信号減衰部が停止する状態の他に、前記信号減衰部の動作又は動作停止を継続する状態を持ち、受信信号レベルに応じてこれらの状態を適宜切り替えるようにしている。
【００１５】
具体的には、前記制御部は、受信信号レベルが第１の閾値を超えると前記信号減衰部による高周波受信信号減衰動作を開始させるとともに、受信信号レベルが前記第１の閾値よりも低い第２の閾値を下回ると前記信号減衰部による高周波受信信号の減衰動作を停止させるが、受信信号レベルが前記第１の閾値と前記第２の閾値の間となるときには前記信号減衰部の動作状態を保持する。
【００１６】
したがって、入力信号レベルが強入力へ切り替わる閾値の近傍であっても、アンテナ・スイッチの切り換えやＬＮＡの電源オン／オフ切り替えが頻繁に行なわれることはなくなり、ＲＦ回路のインピーダンスが安定化するので、受信回路への悪影響は解消され、受信フレームの損失やこれに伴うＰＥＲの劣化を回避することができる。
【００１７】
ここで、前記受信信号レベル検出部は、受信フレームのプリアンブル部分をモニタして、ＲＳＳＩ（Ｒｅｃｅｉｖｅｄ  Ｓｉｇｎａｌ  Ｓｔｒｅｎｇｔｈ  Ｉｎｄｉｃａｔｏｉｎ）を出力するようにすればよい。
【００１８】
また、前記受信処理部は、通常、前記アンテナで受信された伝搬損により減衰した微弱な信号を適正レベルまで増幅する低雑音増幅回路を備えているが、前記信号減衰部は、前記低雑音増幅回路への電源を遮断することで高周波受信信号の減衰動作を行なうことができる。
【００１９】
また、無線通信装置が送信データを処理して前記アンテナ経由で無線信号として送信する送信処理部をさらに備え、送受信切り替えスイッチを介して同じアンテナを送受信処理部で共用している場合には、前記信号減衰部は、受信動作中に前記アンテナを前記送信処理部に接続することで高周波受信信号の減衰動作を行なうことができる。
【発明の効果】
【００２０】
本発明によれば、アンテナで強入力信号を受信したときに高周波受信信号を減衰させる機能を備えた、優れた無線通信装置を提供することができる。
【００２１】
また、本発明によれば、強入力信号への切り替わり点の近傍においても受信フレームの損失を発生することなく良好な受信性能を持つ、優れた無線通信装置を提供することができる。
【００２２】
本発明に係る無線通信装置は、入力信号レベルが第１の閾値と第２の閾値の間となるときには、ＬＮＡの電源の状態を保持することにより、ＬＮＡの電源が頻繁にオンとオフを繰り返す状態になることを回避することにより、ＲＦ回路のインピーダンスが不安定となって受信回路に悪影響を及ぼすことを防ぎ、受信フレームの損失を改善することができる。
【００２３】
したがって、本発明を無線ＩＰ電話などのリアルタイム通信を行なう無線通信装置に適用した場合、音切れの発生を回避することができる。
【００２４】
本発明のさらに他の目的、特徴や利点は、後述する本発明の実施形態や添付する図面に基づくより詳細な説明によって明らかになるであろう。
【発明を実施するための最良の形態】
【００２５】
以下、図面を参照しながら本発明の実施形態について詳解する。
【００２６】
図１には、本発明の一実施形態に係る無線通信装置１００の主に高周波部分の構成を模式的に示している。無線通信装置１００は例えば無線ＬＡＮモジュールとして構成されるが、本発明の要旨はこれに限定されるものではない。以下では、当該装置の受信動作を中心に説明する。
【００２７】
アンテナ１０１は、例えば２．４ＧＨｚ帯のＲＦ信号を送受信するように構成されており、送受信切替用のスイッチ１０２に接続され、送受信系統において共用される。
【００２８】
送受信切替用スイッチ１０２は、送信系統に切り替わったときには、送信部１０３から送られてくるＲＦ送信信号をアンテナ１０１に伝達する。また、受信系統に切り替わったときには、アンテナ１０１で受信したＲＦ信号をＬＮＡ１１１に伝達する。
【００２９】
図示の例では、送受信切替用スイッチ１０２にＳＰＤＴ（Ｓｉｎｇｌｅ  Ｐｏｌｅ  Ｄｏｕｂｌｅ  Ｔｈｒｏｗ：単極双投）スイッチを使用しているが、ＤＰＤＴ（Ｄｏｕｂｌｅ  Ｐｏｌｅ  Ｄｏｕｂｌｅ  Ｔｈｒｏｗ：双極双投）スイッチを使用してもよいし、あるいは、ＳＰＤＴスイッチを２個使用して、２本のアンテナを搭載してもよい。この場合、各アンテナの受信信号の合成又は切り替えを行なうアンテナ・ダイバーシティを使用できるので、通信状態が与良好なアンテナを選択することで、良好な通信を行なうことができる。
【００３０】
ＬＮＡ１０２は、アンテナ１０１で受信された伝搬損により減衰した微弱な信号を適正レベルまで増幅する。
【００３１】
ＬＮＡ１１１で電力増幅されたＲＦ受信信号は、ＲＦ帯の受信側バンドパス・フィルタ（ＢＰＦ）１１２に入力され、不要な信号成分、例えば携帯電話の通話データなどが除去される。
【００３２】
次いで、ＲＦ帯の可変利得アンプ１１３は、利得を可変にすることにより、出力レベルを適切に設定する。
【００３３】
第１の周波数変換器１１４は、ローカル発振器（図示しない）から出力されるローカル周波数をＰＬＬ（Ｐｈａｓｅ  Ｌｏｃｋ  Ｌｏｏｐ）回路１２２で分周して得られるＩＦ（Ｉｎｔｅｒｍｅｄｉａｔｅ  Ｆｒｅｑｕｅｎｃｙ：中間周波数）周波数を用いて、利得増幅されたＲＦ帯の受信信号をＩＦ信号に周波数変換（ダウンコンバート）する。
【００３４】
ＩＦ帯の受信バンドパス・フィルタ（ＢＰＦ）１１５は、ＲＦ帯からＩＦ帯へダウンコンバートを行なう際に発生したイメージ信号の除去を行なう。
【００３５】
次いで、ＩＦ帯の可変利得アンプ１１６は、利得を可変とすることにより、出力レベルを適切に設定する。
【００３６】
次いで、第２の周波数変換器１１７は、ローカル発振器（図示しない）から出力されるローカル周波数をＰＬＬ回路１２３で分周して得られるベースバンド周波数を用いて、ＩＦ帯の受信信号をさらにベースバンド信号に周波数変換する。ベースバンド・フィルタ１１８は、この周波数変換の際に生じた不要スプリアスの除去を行なう。
【００３７】
変復調器１１９は、入力されたベースバンド信号を復調する。
【００３８】
入力信号レベル計算部１２０は、ベースバンド・フィルタ１１８の出力信号レベルをモニタリングしており、これよりアンテナ１０１での入力信号レベルを計算する。この計算は、受信フレームのプリアンブル部をベースバンドでモニタすることで行なわれ、ＲＳＳＩ（Ｒｅｃｅｉｖｅｄ  Ｓｉｇｎａｌ  Ｓｔｒｅｎｇｔｈ  Ｉｎｄｉｃａｔｏｉｎ：受信信号強度）と呼ばれる数値データとして出力される。
【００３９】
ＬＮＡ電源制御部１２１は、このＲＳＳＩ値に応じて、ＬＮＡ１１１への電源電圧をオン／オフ制御する。
【００４０】
アンテナ１０１で受信される信号レベルが大き過ぎる場合には、ＲＦ帯の可変利得増幅器１１３又はＩＦ帯の可変利得増幅器１１６の出力に歪みが生じ、あるいは、ＲＦ帯の可変利得増幅器１１３又はＩＦ帯の可変利得増幅器１１６の出力レベルが大き過ぎるために、第１の周波数変換器１１４又は第２の周波数変換器１１７が過入力状態に陥るため歪みが生じてしまう。この結果、変復調部１１９で正常な復調を行なうことができず、受信感度の劣化、パケット誤り率の増大を招来し、通信不能となる。
【００４１】
図示の無線通信装置１００では、ＲＳＳＩ値が所定レベルを超えると、ＬＮＡ電源制御部１２１がＬＮＡ１１１への供給電源を遮断することにより、高周波受信信号を減衰させ、ダウンコンバートする際に受信信号が歪まないようにしている。なお、ＲＳＳＩ値が大き過ぎるときには、ＬＮＡ１１１への供給電源を遮断するのではなく、送受信切替用スイッチ１０２を送信部１０３側に接続することによっても、同様に高周波受信信号を減衰させることができる。
【００４２】
図２には、ＬＮＡ電源制御部１２１における、ＲＳＳＩ値に応じたＬＮＡ１１１に対する電源制御を行なうための処理手順の一例をフローチャートの形式で示している。
【００４３】
受信待機状態となっている無線通信装置１００では、送受信切替用スイッチ１０２は受信系統に設定され、ＬＮＡ１１１は電源オンの状態となっている。
【００４４】
ここで、受信フレームのプリアンブルを受信すると（ステップＳ１）、ＲＦ受信信号が各回路モジュール１１１〜１１８によりベースバンド信号にダウンコンバートされた後、入力信号レベル計算部１２０によりＲＳＳＩが計算される（ステップＳ２）。
【００４５】
ＬＮＡ電源制御部１２１は、入力信号レベル計算部１２０からＲＳＳＩを受け取ると、所定の閾値と比較する（ステップＳ３）。そして、ＲＳＳＩが所定の閾値を超えなければ、ＬＮＡ１１の電源をオンにする（ステップＳ６）。これによって、アンテナ１０１への入力信号レベルが小さいときであっても、受信データを正常に復調することができる（ステップＳ５）。
【００４６】
一方、ＲＳＳＩが所定の閾値より大きければ（ステップＳ３のＹｅｓ）、ＬＮＡ１１１の電源をオフにして、高周波受信信号を減衰させて（ステップＳ４）、以降の受信回路に入力される信号レベルを低下させる。これによって、アンテナ１０１で強入力信号を受信したときも、受信データを正常に復調できるようになる（ステップＳ５）。
【００４７】
ここで、図２に示したように単一の閾値を以って、ＬＮＡ１１１の電源オン／オフ、すなわち高周波受信信号の減衰機能を制御する場合、入力信号レベルが強入力へ切り替わる閾値の近傍では、アンテナ・スイッチの切り換えやＬＮＡ１１１のオン／オフ制御が頻繁に行なわれることになる。このため、ＲＦ回路のインピーダンスが不安定となって受信回路に悪影響を及ぼしてしまい、受信フレームに損失が発生し、これによってＰＥＲが劣化してしまうという問題がある。
【００４８】
図３には、この場合の入力信号とパケット誤り率（ＰＥＲ）の関係を示している。入力信号レベルが閾値程度になるときには、ＬＮＡ１１１の電源のオンとオフが頻繁に繰り返されることにより、受信フレームの損失が生じ、それゆえにＰＥＲが悪化している。
【００４９】
さらに、ＬＮＡ１１１の電源がオンしているときとオフしているときとで、出力されるＲＳＳＩレベルに不整合が起こらないように、ＬＮＡ１１１がオンのときとオフの時に生じる差分は、入力信号レベル計算部１２０で補正されている。
【００５０】
図４には、入力信号レベルが時間の経過とともに変化する場合を想定して、ＬＮＡ１１１の電源オン／オフ動作の変化と、これに伴うＰＥＲの変化を示している。
【００５１】
入力信号レベルが閾値を下回る区間ではＬＮＡ１１１の電源はオン状態となり、入力信号レベルが小さくても、データを正常に復調できるから、ＰＥＲは低く抑えられる。
【００５２】
ところが、入力信号レベルが閾値近傍に差し掛かると、ＲＳＳＩの測定結果の振動などによりＬＮＡ１１１の電源オンとオフの切り替えが頻繁に発生する。オン／オフの切り替わりでは受信データの欠落が発生するため、ＰＥＲは増大してしまう。
【００５３】
その後、入力信号レベルが閾値を大きく上回ると、ＬＮＡ１１１の電源オフ状態が保たれるので、入力信号レベルが大きくても、データを正常に復調できるから、ＰＥＲは低く抑えられる。
【００５４】
閾値近傍でオン／オフ切り替えが頻繁に行なわれるという問題に関する対策として、閾値１と、この閾値１よりも低い閾値２という複数の閾値を用いてＬＮＡ１１１の電源オン／オフ、すなわち高周波受信信号の減衰機能を制御する方法が考えられる。すなわち、受信信号レベルが閾値１を超えるとＬＮＡ１１１の電源をオフにして高周波受信信号の減衰動作を開始するとともに、受信信号レベルが閾値２を下回るとＬＮＡ１１１の電源をオンにして高周波受信信号の減衰動作を停止させるが、受信信号レベルが閾値１と閾値２の間となるときにはＬＮＡ１１１の電源状態を保持する。
【００５５】
図５には、この場合の入力信号とパケット誤り率（ＰＥＲ）の関係を示している。入力信号レベルが閾値１と閾値２で挟まれる区間では、ＬＮＡ１１１の電源制御はＲＳＳＩに対して不感帯となり、直前の状態に応じてＬＮＡ１１１の電源オン及びオフいずれの状態にもなり得る。
【００５６】
例えば、受信待機状態となっている無線通信装置１００では、送受信切替用スイッチ１０２は受信系統に設定され、ＬＮＡ１１１は電源オンの状態となっているが、入力信号レベルが閾値２を超えてもＬＮＡ１１１の電源状態はオンを保つが、さらに入力信号レベルが増大して閾値１を超えると、ＬＮＡ１１１の電源はオフされる。他方、入力信号レベルが大きくなって一旦ＬＮＡ１１１の電源がオフされてから、入力信号レベルが低下していく場合、閾値１を下回った時点では電源オフのままであるが、さらに低下して閾値２を下回った時点では電源がオンされる。
【００５７】
これによって、入力信号レベルが強入力へ切り替わる閾値の近傍であっても、ＬＮＡ１１１の電源オン／オフ切り替えが頻繁に行なわれることはなくなり、ＲＦ回路のインピーダンスが安定化するので、受信回路への悪影響は解消され、受信フレームの損失やこれに伴うＰＥＲの劣化を回避することができる。
【００５８】
図６には、ＬＮＡ電源制御部１２１が閾値１と閾値２を用いてＬＮＡ１１１に対する電源制御を行なうための処理手順の一例をフローチャートの形式で示している。
【００５９】
受信待機状態となっている無線通信装置１００では、送受信切替用スイッチ１０２は受信系統に設定され、ＬＮＡ１１１は電源オンの状態となっている。
【００６０】
ここで、受信フレームのプリアンブルを受信すると（ステップＳ１１）、ＲＦ受信信号が各回路モジュール１１１〜１１８によりベースバンド信号にダウンコンバートされた後、入力信号レベル計算部１２０によりＲＳＳＩが計算される（ステップＳ１２）。
【００６１】
ＬＮＡ電源制御部１２１は、入力信号レベル計算部１２０からＲＳＳＩを受け取ると、まず閾値１と比較する（ステップＳ１３）。そして、ＲＳＳＩが閾値１より大きければ（ステップＳ１３のＹｅｓ）、ＬＮＡ１１１の電源をオフにして、高周波受信信号を減衰させて、以降の受信回路に入力される信号レベルを低下させる。これによって、アンテナ１０１で強入力信号を受信したときも、受信データを正常に復調できるようになる（ステップＳ１５）。
【００６２】
一方、ＲＳＳＩが閾値１を超えていなければ（ステップＳ１３のＮｏ）、ＬＮＡ電源制御部１２１は、続いてＲＳＳＩを閾値２と比較する（ステップＳ１６）。
【００６３】
ここで、ＲＳＳＩが閾値２を下回るときには（ステップＳ１６のＮｏ）、ＬＮＡ１１の電源をオンにしたままとする（ステップＳ１７）。これによって、アンテナ１０１への入力信号レベルが小さいときであっても、受信データを正常に復調することができる（ステップＳ１５）。
【００６４】
また、ＲＳＳＩが閾値２よりも大きいときには（ステップＳ１６のＹｅｓ）、ＬＮＡ１１１の電源のオン／オフ切り替えを行なわずに、そのままフレーム受信を行なう（ステップＳ１５）。これによって、入力信号レベルが強入力へ切り替わる閾値の近傍であっても、ＬＮＡ１１１の電源オン／オフ切り替えが頻繁に行なわれることはなくなり、ＲＦ回路のインピーダンスが安定化するので、受信回路への悪影響は解消され、受信フレームの損失やこれに伴うＰＥＲの劣化を回避することができる。
【産業上の利用可能性】
【００６５】
以上、特定の実施形態を参照しながら、本発明について詳解してきた。しかしながら、本発明の要旨を逸脱しない範囲で当業者が該実施形態の修正や代用を成し得ることは自明である。
【００６６】
本明細書では、無線ＬＡＮモジュールに適用した実施形態を中心に説明してきたが、本発明の要旨はこれに限定されるものではない。また、受信信号レベルが大き過ぎるときには、アンテナの直後のＬＮＡへの電源を遮断することによって高周波受信信号を減衰させることができるが、勿論、アンテナを送信系統への接続へ切り替える、あるいはその他の方法によって高周波受信信号を減衰させるようにしてもよい。
【００６７】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【００６８】
【図１】図１は、本発明の一実施形態に係る無線通信装置１００の主に高周波部分の構成を模式的に示した図である。
【図２】図２は、ＬＮＡ電源制御部１２１における、ＲＳＳＩ値に応じたＬＮＡ１１１に対する電源制御を行なうための処理手順の一例を示したフローチャートである。
【図３】図３は、単一の閾値を以ってＬＮＡ１１１の電源オン／オフ切り替えを行なう場合における入力信号とパケット誤り率（ＰＥＲ）の関係を示した図である。
【図４】図４は、入力信号レベルが時間の経過とともに変化する場合を想定して、ＬＮＡ１１１の電源オン／オフ動作の変化と、これに伴うＰＥＲの変化を示し
【図５】図５は、閾値１及び閾値２を用いてＬＮＡ１１１の電源オン／オフ切り替えを行なう場合における入力信号とパケット誤り率（ＰＥＲ）の関係を示した図である。
【図６】図６は、閾値１及び閾値２を用いてＬＮＡ電源制御部１２１における電源制御を行なうための処理手順の一例を示したフローチャートである。
【符号の説明】
【００６９】
１００…無線通信装置
１０１…アンテナ
１０２…送受信切替用スイッチ
１０３…送信部
１１１…低雑音増幅回路（ＬＮＡ）
１１２…バンドパス・フィルタ（ＢＰＦ）
１１３…可変利得増幅器
１１４…第１の周波数変換器
１１５…バンドパス・フィルタ（ＢＰＦ）
１１６…可変利得増幅器
１１７…第２の周波数変換器
１１８…ベースバンド・フィルタ
１１９…変復調器
１２０…入力信号レベル計算部
１２１…ＬＮＡ電源制御部
１２２…ＰＬＬ回路
１２３…ＰＬＬ回路
【図１】
2007325234.tif 000003
【図２】
2007325234.tif 000004
【図３】
2007325234.tif 000005
【図４】
2007325234.tif 000006
【図５】
2007325234.tif 000007
【図６】
2007325234.tif 000008